(57)【特許請求の範囲】
【請求項１】
貯蔵室内を移動可能な仕切壁により区画し、該仕切壁に取付けられた電気部品に接続する電線を備えた貯蔵庫において、前記仕切壁には、前記電線の一部を収納する収納部が設けられ、該収納部は、前記電線を引き出す開口部を有し、前記電線は、前記収納部内の固定部で固定されるとともに、前記開口部と前記固定部との間で撓ませて前記収納部内に配設すると共に、収納部の中であってかつ前記開口部近傍に、前記電線を案内する案内部材を設けたことを特徴とする貯蔵庫。
【請求項２】
貯蔵室内を移動可能な仕切壁により区画し、該仕切壁に取付けられた電気部品に接続する電線を備えた貯蔵庫において、前記仕切壁には、前記電線の一部を収納する収納部が設けられ、該収納部は、前記電線を引き出す開口部と窓孔を有し、前記電線は、前記収納部内の固定部で固定されるとともに、前記開口部と前記固定部との間で撓ませて前記収納部内に配設することを特徴とする貯蔵庫。
【発明の詳細な説明】
【０００１】
【発明の属する技術分野】
この発明は、電源コードを収納する収納部を有する貯蔵庫に関するものである。
【０００２】
【従来の技術】
この種の貯蔵庫は、例えば、特開平６−１８１６０号公報（Ｆ２５Ｄ２７／００）に示される如く、貯蔵室内の左側上部の空間が２枚の仕切壁によって上下二室に仕切られ、冷温切替可能な貯蔵室として区画形成されている。
【０００３】
【発明が解決しようとする課題】
しかしながら、従来例では、貯蔵室を区画している仕切壁に接続されている電線の長さを変更することができないため、仕切壁の上下位置を変えることができなかった。そのため、飲料用缶など（商品）の高さに合わせて調整できず、缶の上部に余った空間を生じ、展示販売上好ましいものではなかった。
【０００４】
この発明はこのような問題を解決するためになされたもので、貯蔵室を区画している仕切壁に接続されている電線の長さを調節可能として、貯蔵室の位置を変えることができるようにすることにより、商品の収容本数を増加させるとともに、貯蔵室内の電線の撓みをなくすことにより、その損傷を防止し美観を向上させることを目的とするものである。
【０００５】
【課題を解決するための手段】
この発明の請求項１の貯蔵庫は、貯蔵室内を移動可能な仕切壁により区画し、該仕切壁に取付けられた電気部品に接続する電線を備えたものであって、前記仕切壁には、前記電線の一部を収納する収納部が設けられ、該収納部は、前記電線を引き出す開口部を有し、前記電線は、前記収納部内の固定部で固定されるとともに、前記開口部と前記固定部との間で撓ませて前記収納部内に配設すると共に、収納部の中であってかつ前記開口部近傍に、前記電線を案内する案内部材を設けたものである。
【０００６】
請求項１の発明によれば、電線を収納部に押し込む際に、電線が案内板により案内されて、前記収納部の中においてさらに前記開口部の反対側へと容易に移動させることができ、電線を収納部内に収納させることが容易となると共に、電線の損傷を防止し、美観を向上させることができる。
【０００７】
請求項２の貯蔵庫は、貯蔵室内を移動可能な仕切壁により区画し、該仕切壁に取付けられた電気部品に接続する電線を備えたものであって、前記仕切壁には、前記電線の一部を収納する収納部が設けられ、該収納部は、前記電線を引き出す開口部と窓孔を有し、前記電線は、前記収納部内の固定部で固定されるとともに、前記開口部と前記固定部との間で撓ませて前記収納部内に配設するものである。
【０００８】
請求項２の発明によれば、窓孔から電線を手指等によりずらすことができ、収納部から出ている電線の長さを容易に調節することができるので、電線の損傷を防止し、美観を向上させるとともに、貯蔵室を区画している仕切壁の位置を変更することができるようになり、缶の収容本数を増加させることができる。
【００１１】
【発明の実施の形態】
以下、本発明の実施の形態を図面に基づいて説明する。図１は本発明を適用した貯蔵庫の実施例として、四面ガラスショーケース１の斜視図、図２はショーケース１の下部の断面図、図３はショーケース１の仕切壁３１部分の平断面図、図４は同じく仕切壁３１部分の縦断正面図を示している。
【００１２】
実施例のショーケース１は缶飲料などを陳列するショーケースであり、ショーケース１には本体１Ａ上面の四隅に支柱５・・・が立設され、これら支柱５・・・に前後のガラス扉（透明壁）６、６が枢支され、左右の二重ガラス（透明壁）７、７が固定された構造となっている。そして、これらガラス扉（透明壁）６、６および二重ガラス（透明壁）７、７にて囲繞された貯蔵室８が本体１Ａ上方に構成され、その下方の本体１Ａ内に冷却室９および最下部に機械室３とが形成された構造である。前記貯蔵室８内には複数段の棚１０が架設され、さらに、冷却室９内には冷凍サイクルに含まれるプレートフィン型冷却器１１と送風機１２とが配設されている。
【００１３】
冷却室９は上面を開口した容器状の耐水断熱壁１４内に画成されており、この断熱壁１４の開口縁に取り付けた底枠１５に前記二重ガラス７の下端が取り付けられている。断熱壁１４の左右方向の一側縁内側の底枠１５には冷気吸込口１６が他側縁内側には冷気吹出口１７がそれぞれ穿設され、これら両口１６、１７間に渡って底板１８が架設されて、この底板１８により貯蔵室８と冷却室９は仕切られている。
【００１４】
送風機１２が運転されると、冷却器１１によって冷却された冷気が図２中矢印の如く冷気吹出口１７から貯蔵室８内に吹出され、貯蔵室８内を循環した後の冷気は冷気吸込口１６から冷却室９に帰還する冷気循環が形成され、これによって貯蔵室８内は所定の冷蔵温度に冷却される。
【００１５】
また、機械室３内には冷凍サイクルに含まれる図示しない圧縮機や、図２に示す凝縮器２０、凝縮器用送風機２１等が設置され、その左右側面には通風口２３、２３が形成されているとともに、前面は図１の如くフロントパネル２２にて開閉自在とされている。
【００１６】
さらに、機械室３内には冷却室９からの排水口２４およびドレンパイプ２６を介してドレン水を受ける蒸発皿４が配置され、この蒸発皿４内には蒸発部材２７が載置されている。そして、蒸発皿４は高温冷媒が流通される蒸発パイプ２８にて加熱される構造となっている。
【００１７】
ここで、貯蔵室８内は図１に示す如く、仕切壁３１によって上下に区画され、仕切壁３１より上方は切替室３２としている。この仕切壁３１は図４、図５に示す如く金属製の上面板３３と下面板３４と樹脂性の側面板３６および、これらの内部に充填された断熱材３７とから構成されている。
【００１８】
上面板３３の裏面には、抵抗線の表面を塩化ビニル樹脂にて被覆した塩ビ製の電気ヒータ３８が、一面に接着剤を貼付したアルミニウム製の熱伝導性シート６０を用いて貼着され、この電気ヒータ３８により上面板３３は加熱される。また、この上面板３３の裏面には、上面板３３の表面温度を制御するための温度センサー６３が前記電気ヒータ３８と同様に、一面に接着剤を貼付したアルミニウム製の熱伝導性シート６０を用いて貼着されている。
【００１９】
そして、この仕切壁３１は前後の固定具４１、４１、４２、４２にて支柱５・・・にネジ４３で固定され、その上下位置はネジ４３を外すことにより、変更可能としてある。仕切壁３１が取り付けられた状態で、両側の二重ガラス７、７との間には所定の間隔が形成され、そこに仕切壁３１より上方の切替室３２と、仕切壁３１より下方の貯蔵室８内とを連通する冷気通路４４、４４が構成されている。尚、これら冷気通路４４、４４は、それぞれ冷気吹出口１７と冷気吸込口１６の上方に対応している。
【００２０】
そして、硬質樹脂製のダンパー装置５１が仕切壁３１の側方に取り付けられている。この場合、ダンパー装置５１は冷気通路４４の略全域に渡る面積を備えた短冊状を呈している。
【００２１】
切替室３２内で商品を冷蔵する場合、即ち貯蔵室８の全体を冷蔵温度に冷却する場合は、ダンパー装置５１を図３、図４、図５に示す如く仕切壁３１の側面板３６の外面に沿って起立させると、冷気通路４４が開放され、したがって、冷気通風口１７から吐出された冷気は仕切壁３１の下方の貯蔵室８から一方の冷気通路４４を経て切替室３２に入り、そこを循環して他方の冷気通路４４から仕切壁３１下方の貯蔵室８内に帰還する。このとき電気ヒータ３８は加熱していない。
【００２２】
次に、切替室３２内で商品を温蔵する場合には、図４の状態で、ダンパー装置５１は回動軸４８を中心として図４中時計回りに回動し、二重ガラス７方向に倒れる（図６、図７、図８）。これによって冷気通路４４は閉じられるので、切替室３２に冷気は供給されなくなる。そして、電気ヒータ３８は発熱されるので、切替室３２にて商品を温蔵することができる。
【００２３】
次に、図９を参照して本発明の実施例を説明する。図９は、図５と反対側の下方から見た仕切壁３１の要部斜視図である。図１０は、図９の仕切壁３１の要部分解斜視図である。
【００２４】
仕切壁３１の一方の側面板３６には、この側面側との間で収納部６４を形成する収納カバー６７が取り付けられている。収納部６４には、電力供給用電線６１および制御用電線６２が収納されている。電力供給用電線６１は、機械室３内に置かれた図示しない制御箱から電気ヒータ３８に電力を供給するためのものであり、前記制御用電線６２は、温度センサー６３により仕切壁３１の上面板３３の表面温度を感知して、その温度を制御するためのもので、機械室３内に置かれた図示しない制御箱に接続されている。これら２種類の電線６１、６２は制御箱から収納部６４内に至るまで、ポリプロピレン樹脂製でかつ可撓性の蛇腹状の筒７１内に収容され、電線６１、６２の保護および意匠面での向上が図られている。
【００２５】
前記収納カバー６７の隅部には、収納部６４から前記電線６１、６２を引き出すための開口部６６が設けられている。そして、側面板３６には、図１０のように、前記開口部６６の対向側に、鋼板を折り曲げた案内部材６５が、開口部６６に対し略４５度の角度をなす取付角度で固定されている。前記電線６１、６２は収納部６４内で側面板３６に固定部６８にて固定され、この固定部と開口部６６との間で屈曲されている。そして、電線６１、６２は側面板３６に穿設された電線取出口７０から仕切壁３１内に入り、前記電気ヒータ３８および温度センサー６３にそれぞれ接続されている。尚、前記電線取出口７０は、電線６１、６２の被覆の損傷による漏電を防止するため、ハトメゴム６９により絶縁処理されている。収納かばー６７には、窓孔７２が穿設され、前記電線６１、６２が臨んでいる（図９）。そして、この収納かばーの略直立した面には、その表面に「ホットドリンク」、裏面に「コールドドリンク」と印刷した表示板７５が載置されており、温蔵時は「ホットドリンク」を、冷蔵時はこの表示板７５を裏返して「コールドドリンク」を表示することにより、商品の冷蔵／温蔵の状態を缶コーヒー等の飲料の購入者が区別できるようにしている。尚、この表示板７５によって、収納カバー６７の窓孔７２は塞がれるので、開口部６６から収納部６４内に侵入した冷気がさらに上部の切替室３２内にまで侵入するのを防止でき、温蔵時に飲料用缶等の商品が冷却されないようにすることができる。
【００２６】
尚、収納カバー６７の開口部６６は、収納カバー６７の下部の全幅に渡る下面開口部７３およびその下面を塞ぐ収納蓋７４が所定の位置に固定されることにより形成され、前記蛇腹状の筒７１の外寸より少許大きい開口寸法としてある。
【００２７】
以上の構成で、貯蔵室８に飲料用缶等の商品を陳列する場合、できるだけ数多くの商品を展示し、販売できるようにしたいという要望が商品の販売者から強い。飲料用缶には２５０ｍｌや３５０ｍｌというように種々の大きさのものがあり、例えば、２５０ｍｌ缶、３５０ｍｌ缶の高さはそれぞれ約１３３ｍｍ、約１２２ｍｍと、その高さの差はわずかに約１１ｍｍである。一般にショーケースでは、同じサイズの飲料用缶を同じ棚１０に陳列する展示方法が取られているが、その場合、棚１０の高さ位置をわずか数ｍｍから数十ｍｍ高くすることによりさらにもう１段多く棚段数を増やすことができ、その分収容本数を増加させることができる場合も生じる。あるいは、冬に２５０ｍｌ缶や３５０ｍｌ缶を温めて展示、販売していた温蔵室を、夏には５００ｍｌや１０００ｍｌのペットボトルを冷蔵して展示、販売する場合もあり、その場合は特に容器のサイズの違いが大きく、棚の上下位置を変更したいという要望が強い。
【００２８】
従来からも、ショーケース１の四隅の支柱５・・・には棚高さ調節可能の穴が穿設されており、棚１０の高さ位置を変更することができるようにしてあったが、本実施例では、貯蔵室８が仕切壁３１により上下に区画されているので、上記の要望に応えるには、仕切壁３１の上下位置を変更できるようにすることが望まれる。
【００２９】
そこで、本実施例では、次のように仕切壁３１の高さ調節を可能とすることにより上述したような販売者の要望に応えている。
【００３０】
すなわち、仕切壁３１の上下位置を上げる場合には、次のように行う。前後の固定具４１、４１、４２、４２にて仕切壁３１を支柱５・・・に固定しているネジ４３を一旦外し、所定の高さに仕切壁３１を持ち上げながら、ネジ４３を用いて前記固定具４１、４１、４２、４２により仕切壁３１を支柱５・・・に固定する。この際、収納部６４から出ている電線６１、６２の長さが不足するので、電線６１、６２を収納部６４からゆっくりと引き出す。このとき、収納部６４の中の電線６１、６２が引き出されて内部の電線の長さが短くなる。この状態は、表示板７５を外すことにより、収納カバー６７に設けられた窓孔７２から確認することも可能である。
【００３１】
次に、仕切壁３１の上下位置を再度下げて、仕切壁３１の上部の空間を広げる場合には、次のように行う。前後の固定具４１、４１、４２、４２にて仕切壁３１を支柱５・・・に固定しているネジ４３を一旦外し、所定の高さまで仕切壁３１を下ろしながら、ネジ４３を用いて前記固定具４１、４１、４２、４２により仕切壁３１を支柱５・・・に固定する。この際、収納部６４から出ている電線６１、６２の長さが余り、撓むので電線６１、６２をゆっくりと収納部６４に押し込む。このとき、収納部６４の中では、案内部材６５に沿って、電線６１、６２は屈曲し、押し込まれる。電線６１、６２の材料や太さを選択することにより、電線６１、６２の撓みの程度を前もって調整しておくと、単に電線６１、６２を押し込む作業をするだけで、余った電線６１、６２の長さをこのように容易に収納部６４に押し込み、短くすることが可能であり、仕切壁３１の下方で電線６１、６２が撓んだままになり美観を損ねるような状態が生じない。
【００３２】
ここで、もし、前記案内部材６５がない場合は、電線６１、６２を押し込む方向が収納部６４の天面方向であるため、収納部６４の天井面にぶつかり開口部６６近傍で屈曲する部分の半径が小さくなりそれ以上押し込みにくいこともある。したがって、この案内部材６５があることにより電線６１、６２を収納部６４に円滑に押し込むことができるようになる。また、収納カバー６７には窓孔７２が穿設されているため、この窓孔７２から手指や棒状物を差込んで電線６１、６２を開口部６６と反対側に移動させると、余った電線６１、６２を収納部６４に押し込ませることがさらに円滑になる。
【００３３】
また、収納カバー６７の開口部６６がショーケース１の隅部にあるので、図１１のように商品を載置する棚１０より外側に位置するため、この開口部６６に電線６１、６２があっても、商品の載置スペースを減少させることはない。
【００３４】
このように、電線６１、６２を収納する収納部６４から露出している電線６１、６２の長さを調節することができるようにすることにより、電線６１、６２の撓みをなくし、損傷を防止し、美観を向上させるとともに、仕切壁３１の上下位置を移動させることができるので、商品の収容本数を増加させることができる。
【００３５】
尚、本実施例では、収納カバー６７の開口部６６と固定部６８との間に電線６１、６２を屈曲させる例を示したが、この例にとらわれず、開口部６６と固定部６８とこれら固定部と開口部との間の電線６１、６２の三者の位置関係がこれと異なる場合であっても、電線６１、６２を収納する収納部６４から露出している電線６１、６２の長さを調節することができる。したがって、貯蔵室内の電線６１、６２の撓みがなくなり、損傷を防止でき、美観を向上させることができる。また、仕切壁３１の上下位置を移動させることができ、商品の収容本数を増加させることができる。
【００３６】
さらに、水平な仕切壁３１により貯蔵室が上下に区画されたショーケースに本発明を適用したが、垂直な仕切壁により貯蔵室が左右に区画されたショーケースにおいて仕切壁の位置を左右に移動させる場合にも、電線の長さが調節でき、電線の損傷を防止し美観を向上させるることができる。
【００３７】
また、本実施例では四面ガラス式のショーケースに本発明を適用したが、左右または前面のみガラスとされたショーケースやガラスを使用しない貯蔵庫などにも本発明は有効である。
【００３８】
【発明の効果】
以上のように、この発明によれば、貯蔵室を区画している仕切壁に接続されている電線の長さを調節可能として、貯蔵室の位置を変えることができるようにすることにより、商品の収容本数を増加させるとともに、収納部から出ている電線の撓みをなくすことにより、その損傷を防止し美観を向上させることができるものである。
【図面の簡単な説明】
【図１】この発明の実施例を示すショーケースの斜視図である。
【図２】この発明の実施例のショーケースの下部縦断面図である。
【図３】ダンパー装置を開いた状態のショーケースの仕切壁部分の平断面図である。
【図４】図３の状態のショーケースの仕切壁部分の縦断正面図である。
【図５】図３の状態の仕切壁の斜視図である。
【図６】ダンパー装置を閉じた状態のショーケースの仕切壁部分の平断面図である。
【図７】図６の状態のショーケースの仕切壁部分の縦断正面図である。
【図８】図６の状態の仕切壁のダンパー装置部分の斜視図である。
【図９】図５と反対方向の下方から見た仕切壁の斜視図である。
【図１０】図９において収納部を外して見た要部分解斜視図である。
【図１１】仕切壁を上下に移動するときの作業を示す仕切壁部分の斜視図である。
【符号の説明】
１  ショーケース
６  ガラス扉
７  二重ガラス
８  貯蔵室
３１  仕切壁
３２  切替室
３８  電気ヒータ
５１  ダンパー装置
６１  電力供給用電線
６２  制御用電線
６４  収納部
６５  案内部材
６６  開口部
６７  収納カバー
６８  固定部
７０  電線取出口
７１  蛇腹状筒
７２  窓孔
【図１】
0004036583.tif 000002
【図２】
0004036583.tif 000003
【図３】
0004036583.tif 000004
【図４】
0004036583.tif 000005
【図５】
0004036583.tif 000006
【図６】
0004036583.tif 000007
【図７】
0004036583.tif 000008
【図８】
0004036583.tif 000009
【図９】
0004036583.tif 000010
【図１０】
0004036583.tif 000011
【図１１】
0004036583.tif 000012